(57)【要約】【課題】工場等において予め外装材が取付けられている上下の壁パネルの連結を容易かつ確実に補強できる壁パネルの連結構造を提供する。【解決手段】予め外装材３が取付けられた下階の壁パネル１上に、予め外装材３が取付けられた上階の壁パネル２１が設置されており、下階の壁パネル１の上端部から上階の壁パネル２１の下端部までの長さを有する連結板２２が、上階および下階の壁パネルの端部側から、これら壁パネル１，２１と外装材３との間に差し込まれ、この差し込まれた連結板２２は前記上下階の壁パネル１，２１に止着材７によって固定されている。したがって、この連結板２２によって上下階の壁パネル１，２１を連結できるので、予め外装材３が取付けられている上下階の壁パネル１，２１の連結を容易かつ確実に補強できる。【選択図】        図１
2004278023.tif 000002
【特許請求の範囲】
【請求項１】
建物を構成する下階の壁パネルに上階の壁パネルが連結された壁パネルの連結構造であって、
予め外装材が胴縁を介して取付けられた下階の壁パネル上に、予め外装材が胴縁を介して取付けられた上階の壁パネルが設置されており、
前記下階の壁パネルの上端部から前記上階の壁パネルの下端部までの長さを有する連結板が、上階および下階の壁パネルの端部側から、これら壁パネルと外装材との間に差し込まれており、
この差し込まれた連結板は前記上下階の壁パネルに止着材によって固定されていることを特徴とする壁パネルの連結構造。
【請求項２】
建物を構成する土台に壁パネルが連結された壁パネルの連結構造であって、
土台上に、予め外装材が胴縁を介して取付けられた壁パネルが設置されており、前記土台から前記壁パネルの下端部までの長さを有する連結板が、前記壁パネルの端部側から、該壁パネルおよび前記土台と前記外装材との間に差し込まれており、
この差し込まれた連結板は前記土台および壁パネルに止着材によって固定されていることを特徴とする壁パネルの連結構造。
【請求項３】
請求項１または２に記載の壁パネルの連結構造において、
予め外装材が胴縁を介して取付けられた壁パネルどうしが、横方向に隣接して連結されており、
これら横方向に隣接する壁パネルには、前記連結板がそれぞれ止着材によって固定されていること特徴とする壁パネルの連結構造。
【請求項４】
建物を構成する下階の壁パネルに上階の壁パネルが連結された壁パネルの連結構造であって、
予め外装材が胴縁を介して取付けられるとともに、前記外装材が上端部より下方にある下階の壁パネル上に、床が設置されており、
この床上に、予め外装材が胴縁を介して取付けられるとともに、第１連結板が前記外装材より下方に突出した状態で取付けられた上階の壁パネルが設置されており、
前記第１連結板が床に止着材によって固定されているとともに、前記下階の壁パネルの上端部と床とに第２連結板がそれぞれ止着材によって固定されていることを特徴とする壁パネルの連結構造。
【請求項５】
建物を構成する土台に壁パネルが連結された壁パネルの連結構造であって、
連結板が下方に突出した状態で取付けられ、かつ、胴縁を介して取付けられた外装材の下端部が前記連結板上に位置する壁パネルが、土台上に設置されており、前記連結板は前記土台に止着材によって固定されていることを特徴とする壁パネルの連結構造。
【発明の詳細な説明】
【０００１】
【発明の属する技術分野】
本発明は、建物の外壁を壁パネル構成する際に、上下階の外壁をそれぞれ構成する壁パネルを連結したり、土台に１階の外壁を構成する壁パネルを連結する壁パネルの連結構造に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより、住宅を構築するといったパネル工法が一部に採用されている。
このようなパネル工法に用いられるパネルとして、例えば、外壁パネルは、縦框材と横框材とを矩形状に組み付け、この矩形枠の内部に補強桟材を縦横に組み付けてなる枠体の表裏両面に合板等の面材を取付けることで構成されている。このような外壁パネルを上下に連結する場合、例えば、特許文献１に記載されているように、床パネルを上下に挟んだ状態で上下の外壁パネルを配置し、この下の外壁パネルの上端面と床パネルの下面とを接着剤によって接着するとともに、下の外壁パネルから床パネルにスクリュー釘等の止着材を打ち込み、一方、上の外壁パネルの下端面と床パネルの上面とを接着剤によって接着するとともに、上の外壁パネルから床パネルにスクリュー釘等の止着材を打ち込み、さらに、上下の外壁パネルを床パネルを上下に貫通する胴差ボルトによって連結することによって行っている。
【０００３】
また、住宅等の建物が３階建て以上のものとなると、図７に示すように、１階の外壁パネル４０と２階の外壁パネル４１とを、さらに、ガセット金物４３によって連結するとともに、基礎上に設置された土台４２と１階の外壁パネル４０とをガセット金物４３によって連結することによって外壁パネルの連結を補強している。そして、ガセット金物４３を取付けた後、外壁パネル４０，４１に、サイディング等の外装材を現場で取付けるようにしている。
【０００４】
【特許文献１】
特開平６−１７３３６６号公報
【０００５】
【発明が解決しようとする課題】
ところで、パネル工法では、工場で壁パネルに、予めサイディング等の外装材を取り付けておき、この外装材が取付けられた壁パネルを現場で組み立てることによって、現場での外装材の取付工程を簡略ないし省略して、工業化をさらに推し進めることが行われている。しかし、外装材を壁パネルに予め取付けているがゆえに、現場でこの壁パネルを組み立てた後、上記のようなガセット金物によって上下の壁パネルの連結や、基礎と壁パネルの連結を補強できなかった。
【０００６】
本発明は上記事情に鑑みてなされたものであり、工場等において予め外装材が取付けられている上下の壁パネルの連結を容易かつ確実に補強でき、また、予め外装材が取付けられている壁パネルと土台との連結を容易かつ確実に補強できる壁パネルの連結構造を提供することを目的としている。
【０００７】
【課題を解決するための手段】
上記目的を達成するために、請求項１に記載の発明は、例えば図１および図２に示すように、建物を構成する下階の壁パネル１に上階の壁パネル２１が連結された壁パネルの連結構造であって、
予め外装材３が胴縁２を介して取付けられた下階の壁パネル１上に、予め外装材３が胴縁２を介して取付けられた上階の壁パネル２１が設置されており、
前記下階の壁パネル１の上端部から前記上階の壁パネル２１の下端部までの長さを有する連結板２２が、上階および下階の壁パネルの端部側から、これら壁パネル１，２１と外装材３との間に差し込まれており、
この差し込まれた連結板２２は前記上下階の壁パネル１，２１に止着材７によって固定されていることを特徴とする。
【０００８】
ここで、外装材３はその側端を、壁パネル１，２１の側端より内側に位置させるようにして胴縁２を介して壁パネル１，２１に取付けることで、壁パネル１，２１の側端部に、外装材３がない領域を設け、この領域に連結板２２の一部が位置するようにして、該連結板２２を差し込み、この領域において連結板２２を上下の壁パネル１，２１に止着材７によって固定する。なお、この領域には連結板２２を固定した後、別途外装材を取付ける。
【０００９】
請求項１に記載の発明によれば、連結板２２が、上階および下階の壁パネル１，２１の端部側から、これら壁パネル１，２１と外装材３との間に差し込まれており、この差し込まれた連結板２２が上下階の壁パネル１，２１に止着材７によって固定されているので、この連結板２２によって上下階の壁パネル１，２１を連結できる。したがって、予め外装材３が取付けられている上下階の壁パネル１，２１の連結を容易かつ確実に補強できる。
【００１０】
請求項２に記載の発明は、建物を構成する土台に壁パネルが連結された壁パネルの連結構造であって、
土台５上に、予め外装材３が胴縁２を介して取付けられた壁パネル１が設置されており、前記土台５から前記壁パネル１の下端部までの長さを有する連結板６が、前記壁パネル１の端部側から、該壁パネル１および前記土台５と前記外装材３との間に差し込まれており、
この差し込まれた連結板６は前記土台５および壁パネル１に止着材７によって固定されていることを特徴とする。
【００１１】
請求項２に記載の発明によれば、連結板６が、壁パネル１の端部側から、該壁パネル１および土台５と外装材３との間に差し込まれており、この差し込まれた連結板６が土台５および壁パネル１に止着材７によって固定されているので、この連結板６によって土台５と壁パネル１を連結できる。したがって、予め外装材３が取付けられている壁パネル１と土台５の連結を容易かつ確実に補強できる。
【００１２】
請求項３に記載の発明は、例えば図３に示すように、請求項１または２に記載の壁パネルの連結構造において、
予め外装材３が胴縁２を介して取付けられた壁パネル（大型連結パネル２７，２７（１０，１０）どうしが、横方向に隣接して連結されており、
これら横方向に隣接する壁パネル（大型連結パネル２７，２７（１０，１０）には、前記連結板２８，１１がそれぞれ止着材７によって固定されていること特徴とする。
【００１３】
ここで、予め外装材３が胴縁２を介して取付けられた壁パネルとしては、複数の壁パネルを接合することによって大型の壁パネル１０，２７を形成し、この大型の壁パネル１０，２７に胴縁２を介して外装材３が取り付けられたものが好適に使用される。
【００１４】
請求項３に記載の発明によれば、予め外装材３が胴縁２を介して取付けられて、横方向に隣接する壁パネルどうしが連結板１１，２８によって連結されるので、横方向に隣接する壁パネルどうしの連結も補強できる。
【００１５】
請求項４に記載の発明は、例えば図４〜図６に示すように、建物を構成する下階の壁パネルに上階の壁パネルが連結された壁パネルの連結構造であって、
予め外装材３が胴縁２を介して取付けられるとともに、前記外装材３が上端部より下方にある下階の壁パネル１上に、床３３が設置されており、
この床３３上に、予め外装材３が胴縁２を介して取付けられるとともに、第１連結板３２が前記外装材３より下方に突出した状態で取付けられた上階の壁パネル２１が設置されており、
前記第１連結板３２が床３３に止着材７によって固定されているとともに、前記下階の壁パネル１の上端部と床３３とに第２連結板３４がそれぞれ止着材７によって固定されていることを特徴とする。
【００１６】
請求項４に記載の発明によれば、上階の壁パネル２１に取付けられた第１連結板３２が床３３に止着材によって固定されているので、この第１連結板３２によって上階の壁パネル２１と床３３とを連結できる。また、下階の壁パネル１の上端部と床３３とに第２連結板３４がそれぞれ止着材７によって固定されているので、この第２連結板３４によって下階の壁パネル１と床３３とを連結できる。したがって、上下階の壁パネル１，２１を第１および第２の連結板３２，３４によって床３３を介して連結できる。よって、予め外装材３が取付けられている上下階の壁パネル１，２１の連結を容易かつ確実に補強できる。
【００１７】
請求項５に記載の発明は、建物を構成する土台に壁パネルが連結された壁パネルの連結構造であって、
連結板３０が下方に突出した状態で取付けられ、かつ、胴縁２を介して取付けられた外装材３の下端部が前記連結板３０上に位置する壁パネル１が、土台５上に設置されており、前記連結板３０は前記土台５に止着材７によって固定されていることを特徴とする。
【００１８】
請求項５に記載の発明によれば、壁パネル１に取付けられた連結板３０が土台５に止着材７によって固定されているので、この連結板３０によって土台５と壁パネル１を連結できる。したがって、予め外装材３が取付けられている壁パネル１と土台５の連結を容易かつ確実に補強できる。
【００１９】
【発明の実施の形態】
以下、図面を参照して本発明の実施の形態について説明する。
（第１の実施の形態）
図１〜図３は本発明に係る壁パネルの連結構造の第１の実施の形態を示すものであり、図１は本発明の連結構造が採用されている建物の出隅部を示す斜視図、図２は同正面図、図３は本発明の連結構造が採用されている建物の要部の正面図である。
【００２０】
図１および図２に示すように、本発明に係る壁パネルの連結構造を備えた建物は３階建ての建物であり、パネル工法によって構築されるものである。
建物の１階〜３階の外壁は、それぞれ壁パネルと、この壁パネルの表面に胴縁を介して取付けられた外装材とを備えている。なお、図においては、本発明に係る壁パネルの連結構造を適用した１階と２階の外壁が図示されており、適用しない３階の外壁は省略している。
【００２１】
１階の外壁は、１階（下階）の壁パネル１と、この壁パネル１の表面に胴縁２を介して取付けられた外装材３とを備えている。壁パネル１は、図示は省略するが、縦框材と横框材とを矩形状に組み付け、この矩形枠の内部に補強桟材を縦横に組み付けてなる枠体の表裏両面に合板等の面材を取付けることで構成されている。壁パネル１は建物の出隅部で直角に配置されており、一方の壁パネル１ａの表面に取付けられたジョイント合板１ｃに、他方の壁パネル１ｂの側端面を突き当てて接合することによって壁パネル１ａ，１ｂどうしが直角に接合されている。胴縁２は、横方向（水平方向）に長尺な横胴縁であり、この胴縁２は上下方向に所定間隔で複数配置され、これら胴縁２は釘打ち等によって壁パネル１に固定されている。
そして、これら胴縁２に外装材３が釘打ち等によって固定されることで、壁パネル１に外装材３が胴縁２を介して取付けられている。なお、この胴縁２の厚さはジョイント合板１ｃの厚さと等しくなっている。
【００２２】
壁パネル１の下端部には、この壁パネル１の下端から下方に突出する下耳合板４が取付けられており、この下耳合板４に外装材３の下端部が固定されている。この下耳合板４は壁パネル１の幅方向に沿って延在しているが、壁パネル１ａに取付けられている下耳合板４の端部は壁パネル１ａの幅方向の端部より内側に引っ込んだ位置にある。また、建物の出隅部においては、壁パネル１の端部表面は、前記外装材３によって覆われておらず、露出しており、この露出部分には、最終的に外装材としてコーナ役物が取付けられるようになっている。
また、壁パネル１は土台（半土台）５とこの土台５の内側に位置する床パネルの縁部上に設置されており、土台５の表面には下耳合板４が当接されるか、若干のクリアランスを持って配置されている。なお、ジョイント合板１ｃ、胴縁２、下耳合板４、外装材３等は、壁パネル１に工場等において予め取付けられている。また、壁パネル１の表面には図示しない防水透湿シートが取付けられている。
【００２３】
建物の出隅部において、壁パネル１ａの下端部と外装材３との間および土台５と外装材３との間には、胴縁２の厚さ分だけの隙間があり、この隙間に土台５から壁パネル１の下端部までの長さを有する連結板６が壁パネル１ａの端部側から差し込まれている。連結板６はその右側部が前記隙間に差し込まれており、左側部は外装材３によって覆われていない。
この連結板６は胴縁２と同厚の合板で形成されたもので、１階の壁パネル１が土台５上に設置された後、現場で前記隙間に差し込まれる。なお、１階の壁パネル１と土台５とは接着剤によって接着されるととともに、壁パネル１から半土台５に向けてスクリュー釘等の止着材を打ち込むことによって連結される。
【００２４】
前記隙間に差し込まれた連結板６は、土台５および壁パネル１にスクリュー釘等の止着材７によって固定されている。すなわち、連結板６の左側部は外装材３によって覆われていないので、この左側部に止着材７を壁パネル１および土台５まで打ち込むことによって、連結板６が固定されている。なお、止着材７は壁パネル１ａ，１ｂが直角に接合されているので、壁パネル１ｂの側端面に向けて打ち込まれる。また、止着材７は上下に所定間隔で複数１列に打ち込まれているが、２列またはそれ以上に打ち込んでもよい。
【００２５】
このように連結板６が、壁パネル１の端部側から、該壁パネル１および土台５と外装材３との間に差し込まれており、この差し込まれた連結板６が土台５および壁パネル１に止着材７によって固定されているので、この連結板６によって土台５と壁パネル１を連結できる。したがって、予め外装材３が取付けられている壁パネル１と土台５の連結を容易かつ確実に補強できる。
【００２６】
建物の出隅部においては、上記のようにして連結板６によって壁パネル１（１ａ）と土台５とが連結されるが、出隅部以外の部分、例えば建物の正面側においては以下のようにして壁パネル１と土台５とが連結板１１によって連結されている。
すなわちまず、本実施の形態では建物の外壁は、工場等において外装材３が胴縁２を介して予め取付けられた外装材付きの大型壁パネルを横方向に連結することによって構成されている。この大型壁パネルは、壁パネル１を複数接合することによって構成されたもので、その大型壁パネルの表面に工場等において外装材３が胴縁２を介して予め取付けられることで、外装材付き大型壁パネルが形成されている。
【００２７】
そして、図３に示すように、建物の正面側においては、予め外装材２が取付けられた大型壁パネル１０，１０が横方向に隣接して連結されている。この連結は大型壁パネル１０，１０の側端面どうしを連結金具や接着剤等によって接合するとともに、一方の大型壁パネル１０から他方の大型壁パネル１０に向けて釘打ちすることによって連結されている。なお、図３において「▼」で示す部分が大型壁パネル１０，１０どうしの接合ラインとなっている。
【００２８】
右側の大型壁パネル１０の下端部と外装材３との間および土台５と外装材３との間には、胴縁２の厚さ分だけの隙間があり、この隙間に土台５から大型壁パネル１０の下端部までの長さを有する連結板１１が大型壁パネル１０の端部側から差し込まれている。連結板１１はその右側部が前記隙間に差し込まれており、左側部は外装材３によって覆われていない。また、連結板１１の右側部は左側の大型壁パネル１０の側端部表面に当接している。なお、左側の大型壁パネル１０は、外装材３が大型壁パネル１０の右側縁から引っ込むようにして取付けられているので、大型壁パネル１０の右側縁部には外装材３によって覆われていない露出部分があるが、この露出部分には、最終的に外装材が取付けられるようになっている。
前記連結板１１は胴縁２と同厚の合板で形成されたもので、１階の大型壁パネル１０が土台５上に設置された後、現場で前記隙間に差し込まれる。なお、１階の大型壁パネル１０と半土台５とは接着剤によって接着されるととともに、大型壁パネル１０から半土台５に向けてスクリュー釘等の止着材を打ち込むことによって連結される。
【００２９】
前記隙間に差し込まれた連結板１１は、土台５および横方向に隣接する大型壁パネル１０，１０にスクリュー釘等の止着材７によって固定されている。すなわち、連結板１１の左側部は外装材３によって覆われていないので、この左側部に止着材７を壁パネル１０，１０および土台５まで打ち込むことによって、連結板１１が固定されている。止着材７は上下に所定間隔で複数２列に打ち込まれているが、右側の列の止着材７は右側の大型壁パネル１０に打ち込まれ、左側の列の止着材７は左側の大型連結パネル１０に打ち込まれている。
【００３０】
このように連結板１１が、大型壁パネル１０の端部側から、該大型壁パネル１０および土台５と外装材３との間に差し込まれており、この差し込まれた連結板１１が土台５および大型壁パネル１０に止着材７によって固定されているので、この連結板１１によって土台５と大型壁パネル１０を連結できる。したがって、予め外装材３が取付けられている大型壁パネル１０と土台５の連結を容易かつ確実に補強できる。
また、横方向に隣接する大型壁パネル１０，１０どうしが連結板１１によって連結されるので、横方向に隣接する大型壁パネル１０，１０どうしの連結も補強できる。
【００３１】
また、建物の出隅部においては、図１および図２に示すように、１階（下階）の壁パネル１と２階（上階）の壁パネル２１が連結板２２によって連結されている。
すなわちまず、２階の外壁は、２階（下階）の壁パネル２１と、この壁パネル２１の表面に胴縁２を介して取付けられた外装材３とを備えている。壁パネル２１は、図示は省略するが、前記１階の壁パネル１と同様に、縦框材と横框材とを矩形状に組み付け、この矩形枠の内部に補強桟材を縦横に組み付けてなる枠体の表裏両面に合板等の面材を取付けることで構成されている。
【００３２】
壁パネル２１は建物の出隅部で直角に配置されており、一方の壁パネル２１ａの表面に取付けられたジョイント合板２１ｃに、他方の壁パネル２１ｂの側端面を突き当てて接合することによって壁パネル２１ａ，２１ｂどうしが直角に接合されている。胴縁２は、横方向（水平方向）に長尺な横胴縁であり、この胴縁２は上下方向に所定間隔で複数配置され、これら胴縁２は釘打ち等によって壁パネル２１に固定されている。
そして、これら胴縁２に外装材３が釘打ち等によって固定されることで、壁パネル２１に外装材３が胴縁２を介して取付けられている。なお、この胴縁２の厚さはジョイント合板２１ｃの厚さと等しくなっている。
【００３３】
壁パネル２１の下端部には、この壁パネル２１の下端から下方に突出する下耳合板２４が取付けられており、この下耳合板２４に外装材３の下端部が固定されている。この下耳合板２４は壁パネル２１の幅方向に沿って延在しているが、壁パネル１ａに取付けられている下耳合板２４の端部は壁パネル２１ａの幅方向の端部より内側に引っ込んだ位置にある。また、建物の出隅部においては、壁パネル２１の端部表面は、前記外装材３によって覆われておらず、露出しており、この露出部分には、最終的に外装材としてコーナ役物が取付けられるようになっている。
また、壁パネル２１は胴差２５とこの胴差２５の内側に位置する２階の床パネルの縁部上に設置されており、胴差２５の表面には下耳合板２４が当接されるか、若干のクリアランスを持って配置されている。なお、ジョイント合板２１ｃ、胴縁２、下耳合板２４、外装材３等は、壁パネル２１に工場等において予め取付けられている。また、壁パネル２１の表面には図示しない防水透湿シートが取付けられている。
【００３４】
さらに、胴差２５と２階の床パネルの縁部とは、１階の壁パネル１上に設置されている。したがって、１階の壁パネル１上に、２階の壁パネル２１が胴差２５および２階の床パネルを介して設置されている。なお、１階の壁パネル１と胴差２５および床パネルは接着剤や釘打ち等によって連結されており、２階の壁パネル２１と胴差２５および床パネルは接着剤や釘打ちによって連結されており、さらに１階の壁パネル１と２階の壁パネル２１とは、図示しない胴差ボルトによって連結されている。
【００３５】
建物の出隅部において、壁パネル２１ａの下端部と外装材３との間および胴差２５と外装材３との間、さらに、壁パネル１の上端部と外装材３との間には、胴縁２の厚さ分だけの隙間があり、この隙間に１階の壁パネル１の上端部から２階の壁パネル２１の下端部までの長さを有する連結板２２が壁パネル１，２１の端部側から差し込まれている。連結板２２はその右側部が前記隙間に差し込まれており、左側部は外装材３によって覆われていない。
この連結板２２は胴縁２と同厚の合板で形成されたもので、２階の壁パネル２１が胴差２５および２階の床パネル上に設置された後、現場で前記隙間に差し込まれる。
【００３６】
前記隙間に差し込まれた連結板２２は、１階の壁パネル１および２階の壁パネル２１にスクリュー釘等の止着材７によって固定されている。すなわち、連結板２２の左側部は外装材３によって覆われていないので、この左側部に止着材７を壁パネル１および壁パネル２１まで打ち込むことによって、連結板２２が固定されている。なお、止着材７は壁パネル２１ａ，２１ｂが直角に接合されているので、壁パネル２１ｂの側端面に向けて打ち込まれる。また、止着材７は上下に所定間隔で複数１列に打ち込まれているが、２列またはそれ以上に打ち込んでもよい。
【００３７】
このように、連結板２２が、上階および下階の壁パネル１，２１の端部側から、これら壁パネル１，２１と外装材３との間に差し込まれており、この差し込まれた連結板２２が上下階の壁パネル１，２１に止着材７によって固定されているので、この連結板２２によって上下階の壁パネル１，２１を連結できる。したがって、予め外装材３が取付けられている上下階の壁パネル１，２１の連結を容易かつ確実に補強できる。
【００３８】
建物の出隅部においては、上記のようにして連結板２２によって壁パネル２１（２１ａ）と壁パネル１（１ａ）とが連結されるが、出隅部以外の部分、例えば建物の正面側においては以下のようにして壁パネル２１と壁パネル１とが連結板２２によって連結されている。
すなわちまず、本実施の形態では建物の外壁は、工場等において外装材３が胴縁２を介して予め取付けられた外装材付きの大型壁パネルを横方向に連結することによって構成されている。この大型壁パネルは、壁パネル２１を複数接合することによって構成されたもので、その大型壁パネルの表面に工場等において外装材３が胴縁２を介して予め取付けられることで、外装材付き大型壁パネルが形成されている。
【００３９】
そして、図３に示すように、建物の正面側においては、予め外装材２が取付けられた大型壁パネル２７，２７が横方向に隣接して連結されている。この連結は大型壁パネル２７，２７の側端面どうしを連結金具や接着剤等によって接合するとともに、一方の大型壁パネル２７から他方の大型壁パネル２７に向けて釘打ちすることによって連結されている。なお、図３において「▼」で示す部分が大型壁パネル２７，２７どうしの接合ラインとなっている。
【００４０】
右側の大型壁パネル２７の下端部と外装材３との間、胴差２５と外装材３との間、および１階の大型壁パネル１０の上端部と外装材３との間には、胴縁２の厚さ分だけの隙間があり、この隙間に大型壁パネル１０の上端部から大型壁パネル２７の下端部までの長さを有する連結板２８が大型壁パネル１０および大型壁パネル２７の端部側から差し込まれている。
連結板２８はその右側部が前記隙間に差し込まれており、左側部は外装材３によって覆われていない。また、連結板２８の右側部は左側の大型壁パネル２７の側端部表面に当接している。
なお、左側の大型壁パネル２７は、外装材３が大型壁パネル２７の右側縁から引っ込むようにして取付けられているので、大型壁パネル２７の右側縁部には外装材３によって覆われていない露出部分があるが、この露出部分には、最終的に外装材が取付けられるようになっている。
前記連結板２８は胴縁２と同厚の合板で形成されたもので、２階の大型壁パネル２７が胴差２５および床パネル上に設置された後、現場で前記隙間に差し込まれる。
なお、１階の大型壁パネル１０と胴差２５および床パネルは接着剤や釘打ち等によって連結されており、２階の大型壁パネル２７と胴差２５および床パネルは接着剤や釘打ちによって連結されており、さらに１階の大型壁パネル１０と２階の２階の大型壁パネル２７とは、図示しない胴差ボルトによって連結されている。
【００４１】
前記隙間に差し込まれた連結板２８は、上下の大型壁パネル１０，２７および横方向に隣接する大型壁パネル１０，１０や大型壁パネル２７，２７にスクリュー釘等の止着材７によって固定されている。すなわち、連結板２８の左側部は外装材３によって覆われていないので、この左側部に止着材７を大型壁パネル１０，２７まで打ち込むことによって、連結板２８が固定されている。止着材７は上下に所定間隔で複数２列に打ち込まれているが、右側の列の止着材７は右側の大型壁パネル１０，２７に打ち込まれ、左側の列の止着材７は左側の大型連結パネル１０，２７に打ち込まれている。
【００４２】
このように連結板２８が、大型壁パネル１０，２７の端部側から、該大型壁パネル１０，２７と外装材３との間に差し込まれており、この差し込まれた連結板２８が大型壁パネル１０，２７に止着材７によって固定されているので、この連結板２８によって大型壁パネル１０，２７を連結できる。したがって、予め外装材３が取付けられている大型壁パネル１０，２７の連結を容易かつ確実に補強できる。
また、横方向に隣接する大型壁パネル１０，１０や大型壁パネル２７，２７どうしが連結板２８によって連結されるので、横方向に隣接する大型壁パネル１０，１０どうしや、大型連結パネル２７，２７どうしの連結も補強できる。
【００４３】
なお、前記連結板６，１１，２２，２８は、それぞれ胴縁２と同じ厚さにしており、これによって、出隅部に設けるコーナ役物としての外装材や、建物の正面側等において壁パネルどうしの接合部分に設ける外装材等を、止着材によって連結板に固定できる。このように、連結板６，１１，２２，２８は、壁パネルどうしを連結するための構造部材と、外装材を取り付けるための下地材との双方の機能を有している。
【００４４】
（第２の実施の形態）
図４〜図６は本発明に係る壁パネルの連結構造の第２の実施の形態を示すものであり、図４は本発明の連結構造が採用されている建物の出隅部を示す斜視図、図５は同正面図、図６は本発明の連結構造が採用されている建物の要部の正面図である。
【００４５】
図４および図５に示すように、本発明に係る壁パネルの連結構造を備えた建物は３階建ての建物であり、パネル工法によって構築されるものである。
建物の１階〜３階の外壁は、それぞれ壁パネルと、この壁パネルの表面に胴縁を介して取付けられた外装材とを備えている。なお、図においては、本発明に係る壁パネルの連結構造を適用した１階と２階の外壁が図示されており、適用しない３階の外壁は省略している。
【００４６】
１階の外壁は、１階（下階）の壁パネル１と、この壁パネル１の表面に胴縁２を介して取付けられた外装材３とを備えている。壁パネル１は建物の出隅部で直角に配置されており、一方の壁パネル１ａの表面に取付けられたジョイント合板１ｃに、他方の壁パネル１ｂの側端面を突き当てて接合することによって壁パネル１ａ，１ｂどうしが直角に接合されている。
胴縁２は、横方向（水平方向）に長尺な横胴縁であり、この胴縁２は上下方向に所定間隔で複数配置され、これら胴縁２は釘打ち等によって壁パネル１に固定されている。そして、これら胴縁２に外装材３が釘打ち等によって固定されることで、壁パネル１に外装材３が胴縁２を介して取付けられている。なお、この胴縁２の厚さはジョイント合板１ｃの厚さと等しくなっている。
【００４７】
壁パネル１の下端部には、この壁パネル１の下端から下方に突出する下耳合板４が取付けられており、この下耳合板４に外装材３の下端部が固定されている。この下耳合板４は壁パネル１の幅方向に沿って延在しているが、壁パネル１ａに取付けられている下耳合板４の端部は壁パネル１ａの幅方向の端部より内側に引っ込んだ位置にある。また、壁パネル１ａの下端部には、下耳合板４の端部に突き当てた状態で連結板３０が取付けられている。
この連結板３０は下耳合板４と同厚でかつ同高さの合板で形成されており、その右端部が前記下耳合板４の端部に突き当てられ、左端部は壁パネル１ａの側端部より突出している。連結板３０および下耳合板４は、外装材３より下方に突出しており、外装材３の下端部は連結板３０および下耳合板４上に位置している。また、連結板３０の左端部は、外装材３から側方に突出しており、よって、連結板３０の左端部は外装材３によって覆われておらず、露出している。なお、この露出部分には、最終的に外装材としてコーナ役物が取付けられるようになっている。また、連結板３０には、他方の壁パネル１ｂの側端面が突き当てられている。
【００４８】
壁パネル１は土台（半土台）５とこの土台５の内側に位置する床パネルの縁部上に設置されており、土台５の表面には下耳合板４が当接されるか、若干のクリアランスを持って配置されている。なお、ジョイント合板１ｃ、胴縁２、下耳合板４、外装材３、連結板３０等は、壁パネル１に工場等において予め取付けられている。また、壁パネル１の表面には図示しない防水透湿シートが取付けられている。
なお、１階の壁パネル１と土台５とは接着剤によって接着されるととともに、壁パネル１から半土台５に向けてスクリュー釘等の止着材を打ち込むことによって連結される。
【００４９】
前記連結板３０は、土台５および壁パネル１にスクリュー釘等の止着材７によって固定されている。すなわち、連結板３０の左側部は外装材３によって覆われていないので、この左側部に止着材７を壁パネル１および土台５まで打ち込むことによって、連結板３０が固定されている。なお、止着材７は壁パネル１ａ，１ｂが直角に接合されているので、壁パネル１ｂの側端面に向けて打ち込まれる。また、止着材７は上下に所定間隔で複数１列に打ち込まれているが、２列またはそれ以上に打ち込んでもよい。
【００５０】
このように、壁パネル１に取付けられた連結板３０が土台５や壁パネル１ｂに止着材７によって固定されているので、この連結板３０によって土台５と壁パネル１を連結できる。したがって、予め外装材３が取付けられている壁パネル１と土台５の連結を容易かつ確実に補強できる。
【００５１】
建物の出隅部においては、上記のようにして連結板３０によって壁パネル１と土台５とが連結されるが、出隅部以外の部分、例えば建物の正面側においては以下のようにして壁パネル１と土台５とが連結板３１によって連結されている。
すなわち図６に示すように、建物の正面側においては、予め外装材２が取付けられた大型壁パネル１０，１０が横方向に隣接して連結されている。この連結は大型壁パネル１０，１０の側端面どうしを連結金具や接着剤等によって接合するとともに、一方の大型壁パネル１０から他方の大型壁パネル１０に向けて釘打ちすることによって連結されている。なお、図６において「▼」で示す部分が大型壁パネル１０，１０どうしの接合ラインとなっている。
【００５２】
右側の大型壁パネル１０では、その下端部に下方に突出するようにして取付けられた下耳合板４が大型壁パネル１０のほぼ左端まで延在しており、胴縁２を介して取付けられた外装材３の下端部は、下耳合板４上に位置している。また、この外装材３の左端は、前記接合ラインより若干右側に位置している。
また、左側の大型壁パネル１０では、その下端部に下方に突出するようにして取付けられた下耳合板４が大型壁パネル１０の右端より左側に引っ込んだ位置まで延在しており、この下耳合板４の右側には、連結板３１が取付けられている。この連結板３１は、下耳合板４と同厚、同高さの合板で形成されたもので、大型壁パネル１０の右端より側方に突出している。また、外装材３の右端は、ほぼ下耳合板４の右端と一致しており、したがって、外装材３より右側は、外装材３によって覆われておらず、露出している。この露出部分には、最終的に外装材が取付けられるようになっている。
なお、１階の大型壁パネル１０と半土台５とは接着剤によって接着されるととともに、大型壁パネル１０から半土台５に向けてスクリュー釘等の止着材を打ち込むことによって連結される。
【００５３】
前記連結板３１は、土台５および大型壁パネル１０にスクリュー釘等の止着材７によって固定されている。すなわち、連結板３１は外装材３によって覆われていないので、この連結板３１に止着材７を大型壁パネル１０および土台５まで打ち込むことによって、連結板３１が固定されている。なお、止着材７は上下に所定間隔で複数４列に打ち込まれているが、４列より多く、または少なく打ち込んでもよい。
【００５４】
このように、壁パネル１に取付けられた連結板３１が土台５や大型壁パネル１０に止着材７によって固定されているので、この連結板３１によって土台５と大型壁パネル１０を連結できる。したがって、予め外装材３が取付けられている大型壁パネル１０と土台５の連結を容易かつ確実に補強できる。
【００５５】
また、建物の出隅部においては、図４および図５に示すように、１階（下階）の壁パネル１と２階（上階）の壁パネル２１が以下のようにして連結されている。
すなわち、２階の外壁は、２階（下階）の壁パネル２１と、この壁パネル２１の表面に胴縁２を介して取付けられた外装材３とを備えている。壁パネル２１は建物の出隅部で直角に配置されており、一方の壁パネル２１ａの表面に取付けられたジョイント合板２１ｃに、他方の壁パネル２１ｂの側端面を突き当てて接合することによって壁パネル２１ａ，２１ｂどうしが直角に接合されている。胴縁２は、横方向（水平方向）に長尺な横胴縁であり、この胴縁２は上下方向に所定間隔で複数配置され、これら胴縁２は釘打ち等によって壁パネル２１に固定されている。そして、これら胴縁２に外装材３が釘打ち等によって固定されることで、壁パネル２１に外装材３が胴縁２を介して取付けられている。なお、この胴縁２の厚さはジョイント合板２１ｃの厚さと等しくなっている。
【００５６】
壁パネル２１の下端部には、この壁パネル２１の下端から下方に突出する下耳合板２４が取付けられており、この下耳合板２４に外装材３の下端部が固定されている。この下耳合板２４は壁パネル２１の幅方向に沿って延在しているが、壁パネル２１ａに取付けられている下耳合板２４の端部は壁パネル２１ａの幅方向の端部より内側に引っ込んだ位置にある。また、壁パネル２１ａの下端部には、下耳合板２４の端部に突き当てた状態で第１連結板３２が取付けられている。
【００５７】
この第１連結板３２は下耳合板２４と同厚でかつ同高さの合板で形成されており、その右端部が前記下耳合板２４の端部に突き当てられ、左端部は壁パネル２１ａの側端部より突出している。第１連結板３２および下耳合板２４は、外装材３より下方に突出しており、外装材３の下端部は第１連結板３２および下耳合板２４上に位置している。また、第１連結板３２の左端部は、外装材３から側方に突出しており、よって、第１連結板３２の左端部は外装材３によって覆われておらず、露出している。なお、この露出部分には、最終的に外装材としてコーナ役物が取付けられるようになっている。また、第１連結板３２には、他方の壁パネル２１ｂの側端面が突き当てられている。
【００５８】
壁パネル１は胴差２５とこの胴差２５の内側に位置する２階の床パネルの縁部上に設置されており、胴差２５の表面には下耳合板２４が当接されるか、若干のクリアランスを持って配置されている。そして、胴差２５と床パネルとによって２階の床３３が構成されている。
なお、ジョイント合板２１ｃ、胴縁２、下耳合板２４、外装材３、第１連結板３２等は、壁パネル２１に工場等において予め取付けられている。また、壁パネル２１の表面には図示しない防水透湿シートが取付けられている。
なお、１階の壁パネル１と胴差２５および床パネルは接着剤や釘打ち等によって連結されており、２階の壁パネル２１と胴差２５および床パネルは接着剤や釘打ちによって連結されており、さらに１階の壁パネル１と２階の壁パネル２１とは、図示しない胴差ボルトによって連結されている。
【００５９】
前記第１連結板３２は、胴差２５と床パネルで構成された２階の床３３および壁パネル２１にスクリュー釘等の止着材７によって固定されている。すなわち、第１連結板３２の左側部は外装材３によって覆われていないので、この左側部に止着材７を壁パネル１および床３３まで打ち込むことによって、第１連結板３２が固定されている。なお、止着材７は壁パネル２１ａ，２１ｂが直角に接合されているので、壁パネル２１ｂの側端面に向けて打ち込まれる。また、止着材７は上下に所定間隔で複数１列に打ち込まれているが、２列またはそれ以上に打ち込んでもよい。
【００６０】
また、１階の壁パネル１に胴縁２を介して取付けられた外装材２の上端は、壁パネル１の上端より下方に位置しており、これによって壁パネル１の上端部には外装材２によって覆われていない露出部がある。なお、この露出部は最終的に幕板等の化粧材によって覆われるようになっている。
壁パネル１の上端部の露出部と、２階の床３３とには第２連結板３４が止着材７によって固定されている。なお、止着材７は上下に所定間隔で複数５列に打ち込まれているが、５列より多く、または少なく打ち込んでもよい。
【００６１】
このように、２階の壁パネル２１に取付けられた第１連結板３２が床３３に止着材７によって固定されているので、この第１連結板３２によって壁パネル２１と床３３とを連結できる。また、１階の壁パネル１の上端部と床３３とに第２連結板３４がそれぞれ止着材７によって固定されているので、この第２連結板３４によって１の壁パネル１と床３３とを連結できる。したがって、上下階の壁パネル１，２１を第１連結板３２、第２の連結板３４によって床３３を介して連結できる。よって、予め外装材３が取付けられている上下階の壁パネル１，２１の連結を容易かつ確実に補強できる。
【００６２】
建物の出隅部においては、上記のようにして第１および第２の連結板３２，３４によって壁パネル１と壁パネル２１が床３３を介して連結されるが、出隅部以外の部分、例えば建物の正面側においては以下のようにして壁パネル１と壁パネル２１とが連結されている。
すなわち図６に示すように、建物の正面側においては、予め外装材２が取付けられた大型壁パネル２７，２７が横方向に隣接して連結されている。この連結は大型壁パネル２７，２７の側端面どうしを連結金具や接着剤等によって接合するとともに、一方の大型壁パネル２７から他方の大型壁パネル２７に向けて釘打ちすることによって連結されている。なお、図６において「▼」で示す部分が大型壁パネル２７，２７どうしの接合ラインとなっている。
【００６３】
右側の大型壁パネル２７では、その下端部に下方に突出するようにして取付けられた下耳合板２４が大型壁パネル２７のほぼ左端まで延在しており、胴縁２を介して取付けられた外装材３の下端部は、下耳合板２４上に位置している。また、この外装材３の左端は、前記接合ラインより若干右側に位置している。
また、左側の大型壁パネル２７では、その下端部に下方に突出するようにして取付けられた下耳合板２４が大型壁パネル２７の右端より左側に引っ込んだ位置まで延在しており、この下耳合板２４の右側には、第１連結板３５が取付けられている。この第１連結板３５は、下耳合板２４と同厚、同高さの合板で形成されたもので、大型壁パネル２７の右端より側方に突出している。また、外装材３の右端は、ほぼ下耳合板２４の右端と一致しており、したがって、外装材３より右側は、外装材３によって覆われておらず、露出している。この露出部分には、最終的に外装材が取付けられるようになっている。
なお、１階の大型壁パネル１０と胴差２５および床パネルは接着剤や釘打ち等によって連結されており、２階の大型壁パネル２７と胴差２５および床パネルは接着剤や釘打ちによって連結されており、さらに１階の大型壁パネル１０と２階の壁パネル２７とは、図示しない胴差ボルトによって連結されている。
【００６４】
前記第１連結板３５は、床３３および大型壁パネル２７にスクリュー釘等の止着材７によって固定されている。すなわち、第１連結板３５は外装材３によって覆われていないので、この連結板３５に止着材７を大型壁パネル２７および床３３まで打ち込むことによって、連結板３５が固定されている。なお、止着材７は上下に所定間隔で複数５列に打ち込まれているが、５列より多く、または少なく打ち込んでもよい。
【００６５】
また、１階の大型壁パネル１０に胴縁２を介して取付けられた外装材２の上端は、大型壁パネル１０の上端より下方に位置しており、これによって大型壁パネル１０の上端部には外装材２によって覆われていない露出部がある。なお、この露出部は最終的に幕板等の化粧材によって覆われるようになっている。
大型壁パネル１０の上端部の露出部と、２階の床３３とには第２連結板３６が止着材７によって固定されている。なお、止着材７は上下に所定間隔で複数５列に打ち込まれているが、５列より多く、または少なく打ち込んでもよい。
【００６６】
このように、２階の大型壁パネル２７に取付けられた第１連結板３５が床３３に止着材７によって固定されているので、この第１連結板３２によって大型壁パネル２７と床３３とを連結できる。また、１階の大型壁パネル１０の上端部と床３３とに第２連結板３６がそれぞれ止着材７によって固定されているので、この第２連結板３６によって１の大型壁パネル１０と床３３とを連結できる。したがって、上下階の大型壁パネル１０，２７を第１連結板３５、第２の連結板３６によって床３３を介して連結できる。よって、予め外装材３が取付けられている上下階の大型壁パネル１０，２７の連結を容易かつ確実に補強できる。
【００６７】
なお、前記連結板３０，３１、第１連結板３２，３５、第２連結板３４，３６は、それぞれ胴縁２と同じ厚さにしており、これによって、出隅部に設けるコーナ役物としての外装材や、建物の正面側等において壁パネルどうしの接合部分に設ける外装材等を、止着材によって連結板に固定できる。このように、連結板３０，３１、第１連結板３２，３５、第２連結板３４，３６は、壁パネルどうしを連結するための構造部材と、外装材を取り付けるための下地材との双方の機能を有している。
【００６８】
なお、上述した実施の形態では、建物の出隅部を壁パネルで構成し、建物の出隅部以外の部分、例えば建物の正面側においては大型連結パネルで構成したが、出隅部の部分も大型連結パネルで構成してもよいし、正面側を壁パネルで構成してもよい。
【００６９】
【発明の効果】
以上説明したように、請求項１に記載の発明によれば、壁パネルと外装材との間に差し込まれた連結板が上下階の壁パネルに止着材によって固定されているので、この連結板によって上下階の壁パネルを連結できる。したがって、予め外装材が取付けられている上下階の壁パネルの連結を容易かつ確実に補強できる。
【００７０】
請求項２に記載の発明によれば、壁パネルおよび土台と外装材との間に差し込まれた連結板が土台および壁パネルに止着材によって固定されているので、この連結板によって土台と壁パネルを連結できる。したがって、予め外装材が取付けられている壁パネルと土台の連結を容易かつ確実に補強できる。
【００７１】
請求項３に記載の発明によれば、横方向に隣接する壁パネルどうしが連結板によって連結されるので、横方向に隣接する壁パネルどうしの連結も補強できる。
【００７２】
上下階の壁パネルを第１および第２の連結板によって床を介して連結できるので、予め外装材が取付けられている上下階の壁パネルの連結を容易かつ確実に補強できる。
【００７３】
請求項５に記載の発明によれば、壁パネルに取付けられた連結板によって土台と壁パネルを連結できるので、予め外装材が取付けられている壁パネルと土台の連結を容易かつ確実に補強できる。
【図面の簡単な説明】
【図１】本発明に係る壁パネルの連結構造の一例を備えた建物の出隅部を示すもので、その斜視図である。
【図２】同、出隅部の正面図である。
【図３】本発明に係る壁パネルの連結構造の一例を備えた建物の要部の正面図である。
【図４】本発明に係る壁パネルの連結構造の他の例を備えた建物の出隅部を示すもので、その斜視図である。
【図５】同、出隅部の正面図である。
【図６】本発明に係る壁パネルの連結構造の他の例を備えた建物の要部の正面図である。
【図７】従来の壁パネルの連結構造の一例を備えた建物の出隅部を示す斜視図である。
【符号の説明】
１  １階（下階）の壁パネル
２  胴縁
３  外装材
５  土台
６，１１，２２，２８，３０，３１  連結板
７  止着材
１０，２７  大型壁パネル（壁パネル）
２１  ２階（上階）の壁パネル
３２，３５  第１連結板
３３  床
３４，３６  第２連結板
【図１】
2004278023.tif 000003
【図２】
2004278023.tif 000004
【図３】
2004278023.tif 000005
【図４】
2004278023.tif 000006
【図５】
2004278023.tif 000007
【図６】
2004278023.tif 000008
【図７】
2004278023.tif 000009